【手続補正書】
【提出日】平成29年9月15日(2017.9.15)
【手続補正１】
【補正対象書類名】特許請求の範囲
【補正対象項目名】全文
【補正方法】変更
【補正の内容】
【特許請求の範囲】
【請求項１】
インプラントアバットメント（２）、歯科修復物（４）、及びねじ（３）を含む歯科部品キットであって、
インプラントアバットメント（２）が、内部表面（６）及び外部表面、及び内部にねじ軸の少なくとも一部を収容するように構成された貫通穴（５）を有し、インプラントアバットメントが、顎骨に埋め込まれた歯科インプラント（１）に接続されるように構成され、
歯科修復物（４）が、内部表面（７）及び外部表面（８）、及び工具が挿入可能である通路（１１）を有し、歯科修復物が、その内部表面でインプラントアバットメントの内部表面に接続されるように構成され、
ねじ（３）が、ねじ頭（９）及びねじ付きねじ軸（１０）を有し、ねじ頭の直径がねじ軸の直径より大きく、
歯科部品キットが、ねじがインプラントアバットメントと歯科修復物の予備組立体（１５）を歯科インプラントに接続できるように構成され、
予備組立体が、ねじ頭を包囲する凹所（１１）を内部に含むように構成され、それによってねじが拘束ねじであり、
歯科部品キットにおいて、歯科修復物の通路が、歯科修復物の外部表面を凹所に接続し、かつねじのねじ頭の直径より小さい直径を有し、及び
歯科部品キットにおいて、凹所が歯科修復物によって包囲され、かつ歯科修復物の周囲表面に対して開放側を全く持たないように凹所が歯科修復物内に形成される、歯科部品キット。
【請求項２】
凹所が、インプラントアバットメントと歯科修復物の間に位置される、請求項１に記載の歯科部品キット。
【請求項３】
歯科修復物が、内部にねじ軸の少なくとも一部を収容するように構成された歯科修復物の貫通穴（１８）によって歯科修復物の外部表面に接続され、貫通穴が、ねじ頭の直径より小さくかつねじ軸の直径より大きい直径を有する、請求項１に記載の部品キット。
【請求項４】
歯科修復物が少なくとも二つの部分に分割可能であるように構成される、請求項１〜３のいずれかに記載の歯科部品キット。
【請求項５】
通路の長手方向範囲が、ねじ軸の長手方向軸（Ｌ）と一致するか又はそれに対して角度を付けられている、請求項１〜４のいずれかに記載の歯科部品キット。
【請求項６】
ねじ軸の長手方向軸に対する通路の長手方向範囲の角度（α）が０°〜３０°である、請求項５に記載の歯科部品キット。
【請求項７】
インプラントアバットメントが突出部（１６）を与えられ、歯科修復物が受容断面（１７）を与えられ、予備組立体において、突出部及び受容断面が互いにかみ合って係合する、請求項１〜６のいずれかに記載の歯科部品キット。
【請求項８】
歯科修復物が、歯冠、バー、又はブリッジ構造を含む、請求項１〜７のいずれかに記載の歯科部品キット。
【請求項９】
歯科部品キットの部品の少なくとも一つが、ポリマー、好ましくはポリメチルメタクリレート、ポリウレタン、ポリエーテルエーテルケトン；強化ポリマー、好ましくはガラス繊維、炭素繊維及び／又はセラミック粒子によって強化されたポリマー；歯科ハイブリッドセラミック；ガラスセラミック；チタン及びチタン合金；コバルトクロム合金；ジルコニア及びアルミナからなる群から選択される少なくとも一種の材料を含む、請求項１〜８のいずれかに記載の歯科部品キット。
【請求項１０】
歯科部品キットの部品の少なくとも一つが、迅速生産、好ましくは選択的レーザー溶融、選択的レーザー焼結、電子ビーム溶解、直接金属レーザー焼結、立体リソグラフィー、三次元印刷及び熱溶解積層法；鋳造、成形及び機械加工からなる群から選択される少なくとも一つによって形成される、請求項１〜９のいずれかに記載の歯科部品キット。
【請求項１１】
インプラントアバットメントの内部表面と歯科修復物の内部表面の間の接続が、化学結合、好ましくは接着、結合及びセメント接着；熱結合、好ましくはレーザー溶接、摩擦溶接；及び機械結合、好ましくはプレス嵌め、収縮嵌め、ねじ締め及びボルト締めからなる群から選択される少なくとも一つによって形成される、請求項１〜１０のいずれかに記載の歯科部品キット。
【請求項１２】
ねじが非晶質金属材料及び／又は非晶質金属合金を含み、非晶質金属材料及び／又は非晶質金属合金が好ましくはバルク金属ガラスである、請求項１〜１１のいずれかに記載の歯科部品キット。
【請求項１３】
ねじがバルクの非晶質金属材料又は非晶質金属合金からなる、請求項９に従属しない請求項１２に記載の歯科部品キット。
【請求項１４】
顎骨中に埋め込まれるように構成された歯科インプラント；及び歯科インプラント、インプラントアバットメント、及び歯科修復物を調整及び固定するように構成された工具を含む、請求項１〜１３のいずれかに記載の歯科部品キット。
【請求項１５】
工具が非晶質金属材料及び／又は非晶質金属合金を含み、非晶質金属材料及び／又は非晶質金属合金が好ましくはバルク金属ガラスである、請求項１４に記載の歯科部品キット。
【請求項１６】
ねじに係合する工具の部分がバルクの非晶質金属材料又は非晶質金属合金からなる、請求項１５に記載の歯科部品キット。
【請求項１７】
複数の前記ねじ、及び／又は複数の前記インプラントアバットメントを含む、請求項１〜１６のいずれかに記載の歯科部品キットであって、複数の前記ねじの個々のものが工具の係合のために異なる幾何学的特徴を有し、複数の前記インプラントアバットメントの個々のものがインプラントアバットメントと歯科インプラントの間の回転を防止することができる異なる幾何学的特徴を有する、歯科部品キット。
【請求項１８】
インプラントアバットメントと歯科修復物を整列させる工程；インプラントアバットメントと歯科修復物の間にねじを配置する工程；凹所に配置されたねじ頭及びインプラントアバットメントの貫通穴に収容されたねじ軸の少なくとも一部でインプラントアバットメントの表面及び歯科修復物の内部表面によってインプラントアバットメント及び歯科修復物を組み立てる工程、それによって歯科インプラントとの予備組立体の続く組立のためにインプラントアバットメントと歯科修復物の予備組立体を形成する工程を含む、歯科部品キット、好ましくは請求項１〜１３のいずれかに記載の歯科部品キットを製造するための方法であって、予備組立体を形成する工程の前に、歯科修復物の凹所及び貫通穴が歯科修復物内に形成されるように迅速生産によって歯科修復物を製造する工程；及びねじ頭が凹所に形成され、ねじ軸が歯科修復物の貫通穴に形成され、ねじが歯科修復物によって包囲される拘束ねじであるように、前の工程と同時にねじを製造する工程をさらに含む方法。
【請求項１９】
インプラントアバットメントと歯科修復物を組み立てる工程が、インプラントアバットメントと歯科修復物をその内部に包囲されたねじ頭で固定して接続する工程をさらに含み、インプラントアバットメント及び歯科修復物を固定して接続する工程が、化学結合、好ましくは接着、結合及びセメント接着；熱結合、好ましくはレーザー溶接、摩擦溶接；及び機械結合、好ましくはプレス嵌め、収縮嵌め、ねじ締め及びボルト締めからなる群から選択される少なくとも一つの工程を含む、請求項１８に記載の歯科部品キットを製造するための方法。
【請求項２０】
予備組立体を形成する工程の前に、歯科修復物の凹所及び貫通穴が歯科修復物内に形成されるように迅速生産によって歯科修復物を製造する工程；凹所が部分的に形成される段階で迅速生産する方法を中止する工程；ねじ頭が部分的な凹所に配置され、かつねじ軸が貫通穴に少なくとも部分的に収容されるように、歯科修復物の内側にねじを配置する工程；インレーされたねじが歯科修復物によって完全に包囲され、かつ歯科修復物が完成されるまで迅速生産工程を継続する工程をさらに含む、請求項１８に記載の歯科部品キットを製造するための方法。
【請求項２１】
迅速生産の方法が、レーザー溶融、選択的レーザー焼結、電子ビーム溶解、直接金属レーザー焼結、立体リソグラフィー、三次元印刷及び熱溶解積層法からなる群から選択される少なくとも一つを含む、請求項１８〜２０のいずれかに記載の歯科部品キットを製造するための方法。
【請求項２２】
少なくとも予備組立体を形成する工程が現場外で実施される、請求項１８〜２１のいずれかに記載の歯科部品キットを製造するための方法。
【請求項２３】
ねじ及び／又は工具がネットシェイプ鋳造によって形成される、請求項１８〜２１のいずれかに記載の歯科部品キットを製造するための方法。